(57)【要約】【課題】小型ノズルの着脱性に優れた電気掃除機用吸込具および電気掃除機を提供する。【解決手段】先端吸気口１８を形成した吸気ヘッド１０を有する小型ノズル１１と、前記小型ノズル１１を着脱自在に収容する小型ノズル収納凹部１６、前記小型ノズル収納凹部１６内に設けられた突出部２３を有する床ノズル１２とを備え、前記小型ノズル収納凹部１６内に前記小型ノズル１１を収納するときに、前記突出部２３が前記先端吸気口１８に挿入されるようにしたもので、小型ノズル１１の先端吸気口１８が突出部２３によって誘われて、小型ノズル１１が確実に装着できる。【選択図】  図５
2004337500.tif 000002
【特許請求の範囲】
【請求項１】
塵埃を吸引する吸気口を形成した吸気ヘッドを有する小型ノズルと、前記小型ノズルを着脱自在に収容する小型ノズル収納凹部、塵埃を吸引する吸口、前記小型ノズル収納凹部内に設けられた突出部を有する床ノズルとを備え、前記小型ノズルを前記小型ノズル収納凹部内に収納するときに、前記突出部が前記吸気口に挿入する電気掃除機用吸込具。
【請求項２】
吸気ヘッドに、先端を開口させた先端吸気口、下面を開口させた下面吸気口を形成し、突出部が、前記先端吸気口に挿入する請求項１記載の電気掃除機用吸込具。
【請求項３】
突出部の左右側面壁の一部を切り欠き、前方下部から後方上部に向かって傾斜する斜面壁を設け、前記斜面壁が、先端吸気口に挿入する請求項２記載の電気掃除機用吸込具。
【請求項４】
先端吸気口の内側の一部に摺接片を突出させて設け、斜面壁と前記摺接片とが接する請求項３記載の電気掃除機用吸込具。
【請求項５】
小型ノズル収納凹部内に、小型ノズルの把持と解放により前記小型ノズルを着脱する小型ノズル着脱手段を設け、前記小型ノズル着脱手段に、前記小型ノズルと接触することで作動する把持手段を設けた請求項１〜４のいずれか１項に記載の電気掃除機用吸込具。
【請求項６】
小型ノズルの装着時に、その前部底面を支える誘導保持部と、後方底面を支える保持部とを設けた請求項１〜５のいずれか１項に記載の電気掃除機用吸込具。
【請求項７】
小型ノズルの装着時に、前記小型ノズルが前方斜め下方に沈むように、誘導保持部と保持部とを形成した請求項６項記載の電気掃除機用吸込具。
【請求項８】
先端吸気口の風量を調節する風量調節弁と、前記風量調節弁を閉じる方向に付勢するバネなどからなる弾性体を設け、小型ノズルを床ノズルに装着する時に、前記風量調節弁に突出部が接触して開放するようにした請求項１〜７いずれか１項に記載の電気掃除機吸込具。
【請求項９】
掃除機本体が内蔵する吸引風を発する電動送風機に、請求項１〜８のいずれか１項に記載の電気掃除機用吸込具を連通させた電気掃除機。
【発明の詳細な説明】
【０００１】
【発明の属する技術分野】
本発明は、塵埃を吸引する電気掃除機用吸込具およびそれを用いた電気掃除機に関するものである。
【０００２】
【従来の技術】
従来この種の電気掃除機用吸込具は、掃除機本体に連通する延長管の先端に、上下動自在な連結部を介して接続されるブラシノズル（小型ノズル）と、このブラシノズルを吸込具本体（床ノズル）の上面に設けた連結口に回動かつ着脱自在に接続した構成となっていた。ブラシノズルは、下方開口の吸込口を有し、その吸込口の周囲にブラシが設けられている。そして、吸込具本体では掃除しにくい狭い場所を掃除する際には、吸込具本体からブラシノズルを離脱させ、このブラシノズルで掃除を行っていた。
【０００３】
また広い場所を掃除するときには、ブラシノズルを吸込具本体に装着して掃除を行うようになっており、この場合吸込具本体は、ブラシノズルが吸込具本体に対して回動自在であって、延長管に対して上下動自在としてあるため、吸込具本体を従来と同様上下、左右に回動させて掃除をすることができる（例えば、特許文献１参照）。
【０００４】
【特許文献１】
特開２００１−３１４３５８号公報
【０００５】
【発明が解決しようとする課題】
しかしながら、上記従来の構成では、ブラシノズルを吸込具本体に装着するときに、ブラシノズルを収納する収納部に完全に合わせてから挿入しないと装着できず、ブラシノズルの再装着が困難であった。
【０００６】
本発明は上記従来の課題を解決するもので、床ノズルへの小型ノズルの着脱性が優れた電気掃除機用吸込具並びの電気掃除機を提供することを目的としている。
【０００７】
【課題を解決するための手段】
上記目的を達成するために本発明は、塵埃を吸引する吸気口を形成した吸気ヘッドを有する小型ノズルと、前記小型ノズルを着脱自在に収容する小型ノズル収納凹部、塵埃を吸引する吸口、前記小型ノズル収納凹部内に設けられた突出部を有する床ノズルとを備え、前記小型ノズルを前記小型ノズル収納凹部内に収納するときに、前記突出部が前記吸気口に挿入するもので、小型ノズルの吸気口が突出部によって誘われるので、小型ノズルが確実に装着できるとともに、挿入後の小型ノズルの締結力をも向上でき、小型ノズルの着脱性の優れた電気掃除機用吸込具を提供できる。
【０００８】
【発明の実施の形態】
本発明の請求項１に記載の発明は、塵埃を吸引する吸気口を形成した吸気ヘッドを有する小型ノズルと、前記小型ノズルを着脱自在に収容する小型ノズル収納凹部、塵埃を吸引する吸口、前記小型ノズル収納凹部内に設けられた突出部を有する床ノズルとを備え、前記小型ノズルを前記小型ノズル収納凹部内に収納するときに、前記突出部が前記吸気口に挿入するもので、小型ノズルの吸気口が突出部によって誘われるので、小型ノズルが確実に装着できるとともに、挿入後の小型ノズルの締結力をも向上でき、小型ノズルの着脱性の優れた電気掃除機用吸込具を提供できる。
【０００９】
本発明の請求項２に記載の発明は、吸気ヘッドに、先端を開口させた先端吸気口、下面を開口させた下面吸気口を形成し、突出部が、前記先端吸気口に挿入するもので、小型ノズルが先端側から突出部で誘われるので、小型ノズルの装着がより確実に行われるものである。
【００１０】
本発明の請求項３に記載の発明は、突出部の左右側面壁の一部を切り欠き、前方下部から後方上部に向かって傾斜する斜面壁を設け、前記斜面壁が、先端吸気口に挿入するもので、小型ノズルの先端吸気口が突出部と斜面壁によって誘われることにより、確実に装着でき、挿入性の向上と、挿入後の小型ノズルの締結力を向上でき、小型ノズルの着脱性の優れた電気掃除機用吸込具を提供できる。
【００１１】
本発明の請求項４に記載の発明は、先端吸気口の内側の一部に摺接片を突出させて設け、斜面壁と前記摺接片とが接するもので、小型ノズルを装着したときに斜面壁と摺接片が接触することで、吸込具本体を落下させたときに簡単に小型ノズルが離脱せず、使い勝手を向上できる。
【００１２】
本発明の請求項５に記載の発明は、小型ノズル収納凹部内に、小型ノズルの把持と解放により前記小型ノズルを着脱する小型ノズル着脱手段を設け、前記小型ノズル着脱手段に、前記小型ノズルと接触することで作動する把持手段を設けたもので、把持手段により小型ノズルの着脱を簡単にできる電気掃除機用吸込具を提供できる。
【００１３】
本発明の請求項６に記載の発明は、小型ノズルの装着時に、その前部底面を支える誘導保持部と、後方底面を支える保持部とを設けたもので、小型ノズルを再装着する再に小型ノズルを誘導保持部および保持部近傍に位置させて押し込むだけで、簡単に再装着ができる。
【００１４】
本発明の請求項７に記載の発明は、小型ノズルの装着時に、前記小型ノズルが前方斜め下方に沈むように、誘導保持部と保持部とを形成したもので、小型ノズルを再装着する再に小型ノズルを誘導保持部および保持部近傍に持ってきて、押し込むだけで、小型ノズルが前下がり状に装着されるので、簡単にかつ確実に再装着ができる。
【００１５】
本発明の請求項８に記載の発明は、先端吸気口の風量を調節する風量調節弁と、前記風量調節弁を閉じる方向に付勢するバネなどからなる弾性体を設け、小型ノズルを床ノズルに装着する時に、前記風量調節弁に突出部が接触して開放するようにしたもので、小型ノズルを離脱する際に、風量調節弁を付勢するバネの付勢力が、小型ノズルを離脱する補助力となり離脱させやすくなる。
【００１６】
本発明の請求項９に記載の発明は、掃除機本体が内蔵する吸引風を発する電動送風機に、請求項１〜８のいずれか１項に記載の電気掃除機用吸込具を連通させたもので、小型ノズルの着脱性の優れた電気掃除機用吸込具により、使用勝手の良い電気掃除機を提供することができる。
【００１７】
【実施例】
以下、本発明の第１の実施例を、図１〜図６を用いて説明する。
【００１８】
図１において、電気掃除機１は、先端に吸込具本体２を着脱可能に装着した延長管３と、一端に、延長管３の他端に接続される手元ハンドル４を有し、他端にホース継ぎ手６を有するホース５を備え、ホース継ぎ手６は、掃除機本体７に連結されている。
【００１９】
吸込具本体２は、小型ノズル１１と、小型ノズル１１が着脱自在に装着される床ノズル１２から構成されている。小型ノズル１１は、延長管３に着脱自在に連結される管路８と、管路８に連結部９を介して接続された吸気ヘッド１０を備えている。
【００２０】
図２〜図６において、床ノズル１２の後方略中央部には、小型ノズル１１の略外観に沿って設けられた小型ノズル収納凹部１６があり、小型ノズル収納凹部１６内に小型ノズル１１が収まるようになっている。
【００２１】
吸気ヘッド１０には、前方開口の先端吸気口１８と、下方開口の下面吸気口１９が設けられている。一方、床ノズル１２には、床ノズル１２の前方部に左右に伸びて下面に開口された吸口２０が設けられている。吸口２０に臨み回転自在に設けられた回転ブラシ１５は、駆動源（図示せず）により回転駆動する。回転ブラシ１５が収められた空間部は吸気室２１として設けられ、吸気室２１の略中央部から小型ノズル収納凹部１６を連通する吸気口２２が設けられている。２３は、吸気口２２の外周を囲み、小型ノズル収納凹部１６に対して後方に突出するように設けた略ロの字形状の突出部である。
【００２２】
小型ノズル１１が床ノズル１２に設けた小型ノズル収納凹部１６に収納されると、吸気口２２と先端吸気口１８が連通するように、それぞれの位置が設定されている。
【００２３】
突出部２３の下側から上側に向けて切り上がるように形成し、突出部２３の左右両側面壁を斜めに切り欠いた斜面壁２４と、小型ノズル１１が床ノズル１２に収納されたときに、前記斜面壁２４に噛み合い接触するように、先端吸気口１８内部に凸形状の摺接片２５が設けられている。
【００２４】
小型ノズル１１が小型ノズル収納凹部１６に収納されたときに、小型ノズル着脱手段１４により小型ノズル１１は床ノズル１２に保持される。小型ノズル着脱手段１４は、小型ノズル収納凹部１６の略中央部、左右側面壁から突出した１対の略半円状の凸ボス２６を有しており、小型ノズル１１が小型ノズル収納凹部１６に収納されたときに、吸気ヘッド１０の側面壁に設けた凹穴３１に挿入されるようになっている。
【００２５】
また、小型ノズル着脱手段１４は、ヒンジ１７近傍で左右に分割されて、ヒンジ１７付近が小型ノズル収納凹部１６から露出している形態であり、小型ノズル１１を収納した際に、小型ノズル１１の底面がヒンジ１７付近に設けた凸形状部２７を押すことにより、凸ボス２６を小型ノズル収納凹部１６の内側に突出させるように構成してある。
【００２６】
２８は、床ノズル１２の前後方向に伸び、小型ノズル収納凹部１６の略中央部付近に上方に向けて突出した緩やかな円弧形状を斜面とした誘導保持部材で、この誘導保持部材２８は、ヒンジ１７の手前まで伸びるように設定されている。床ノズル１２の後方部分には、ヒンジ１７より後方部分に小型ノズル収納凹部１６を挟むような形で形成され、誘導保持部材２８より高い位置に被掃除面と略水平に設けた平面部を床ノズル１２の上部概観部に形成し、保持部２９として設けてある。
【００２７】
先端吸気口１８には、小型ノズル１１を単独で使用する際に、先端吸気口１８を一部閉塞するように風量調節弁３０が設けられ、この風量調節弁３０は回動可能に軸支されており、通常バネなどから形成される弾性体（図示せず）により先端吸気口１８を閉塞する方向に附勢されている。
【００２８】
上記構成における動作は以下の通りである。
【００２９】
吸込具本体２は、掃除機本体７に延長管３、ホース５を介して接続されることで通常の掃除機と同じように、広い床面を掃除することができる。家具間の隙間や狭い場所を掃除する際、従来、吸込具本体２を一旦延長管３から外し、隙間ノズルなどの別吸込具を接続する必要があったが、本実施例においては、操作ペダル１３を足などで踏み込むと、その動作に連動して、小型ノズル着脱手段１４がヒンジ１７から折れるような動作をし、小型ノズル収納凹部１６から凸形状部２７が突出して、小型ノズル１１の後方下面を押し出すように動作する。
【００３０】
その結果、小型ノズル１１は、小型ノズル収納凹部１６から管路８が持ちあがるように外れ、同時に、バネの付勢力により、風量調節弁３０が先端吸気口１８を閉塞すべく動作すると、突出部２３を押し出すように動作する。このときに突出部２３を内部に収めていた先端吸気口１８は、突出部２３から斜面壁２４、摺接片２５を伝わりながら、吸込具本体１の後方上部に向かって自動的に外れる動きをする。そのため、操作ペダル１３を踏み込みながら、手元ハンドル４を少し上方に動かすだけで小型ノズル１１は床ノズル１２から簡単に離脱させることができる。
【００３１】
小型ノズル１１を使っての隙間掃除が終了し、再度、床ノズル１２に装着する際、小型ノズル１１の底面を小型ノズル収納凹部１６に合わすように置く。このとき、小型ノズル１１は、保持部２９により小型ノズル１１の略後方部分を左右から支えられ、誘導保持部２８により小型ノズル１１の略前方中央部を支えられる形になる。保持部２９は、誘導保持部２８より高めの位置に設定されているので、小型ノズル１１は前のめりの形で小型ノズル収納凹部１６の上方に置かれた状態になり、管路８を略垂直に立てて、下方に押し込むだけで、小型ノズル１１は小型ノズル収納凹部１６内部に入り込んでいく。
【００３２】
このとき、風量調節弁３０は突出部２３により先端吸気口１８の後方に向かって回動して、先端吸気口１８を開放させ、吸気口２２と連通させる。
【００３３】
また、摺接片２５は斜面壁２４に当接していき、小型ノズル１１が誘導保持部２８に従って移動し、風量調節弁３０が開放される動作にて、小型ノズル１１が上方に逃げていく動作を防ぎながら小型ノズル１１の前方部分を吸込具本体２の下方に向かって移動させる。最後に、小型ノズル１１の後方部を完全に押し込んだときに凸形状部２７が、小型ノズル１１の下面に押されて、小型ノズル着脱手段１４を動作させて、凸ボス２６を凹穴３１に挿入することで、小型ノズル１１を床ノズル１２に完全に保持固定することができる。
【００３４】
以上のように、手元ハンドル４を略垂直に立てながら管路８を押し込んでいく動作をするだけで、小型ノズル１１を床ノズル１２に装着することができる。また、小型ノズル１１を床ノズル１２から外す時は、手元ハンドル４をもって、操作ペダル１３などを操作するだけでよい。これにより、家屋の狭い隙間や壁、天井など立体的に掃除することが簡単にできる使い勝手がよく、着脱性に優れた電気掃除機用吸込具を提供することができるものである。
【００３５】
【発明の効果】
以上のように本発明によれば、簡単に小型ノズルを床ノズルから着脱できる構成を有することで、家屋の狭い隙間や壁、天井など立体的に掃除することを簡単にできる使い勝手がよく、着脱性に優れた電気掃除機を提供することができる。
【図面の簡単な説明】
【図１】本発明の一実施例を示す電気掃除機用吸込具を接続した電気掃除機の全体斜視図
【図２】同電気掃除機用吸込具の上面図
【図３】同電気掃除機用吸込具の小型ノズルを外した時の上面図
【図４】同電気掃除機用吸込具の小型ノズルを外した時の後面図
【図５】（ａ）同電気掃除機用吸込具の小型ノズルの断面図
（ｂ）同電気掃除機用吸込具の床ノズルの断面図
【図６】同電気掃除機用吸込具の小型ノズルの側面図
【符号の説明】
２    吸込具本体
８    管路
９    連結部
１０  吸気ヘッド
１１  小型ノズル
１２  床ノズル
１６  小型ノズル収納凹部
１８  先端吸気口
１９  下面吸気口
２０  吸口
２２  吸気口
２３  突出部
【図１】
2004337500.tif 000003
【図２】
2004337500.tif 000004
【図３】
2004337500.tif 000005
【図４】
2004337500.tif 000006
【図５】
2004337500.tif 000007
【図６】
2004337500.tif 000008